(57)【特許請求の範囲】
【請求項１】
情報を表示する表示部（３０）と、
操作者によってタッチされていることを検出する為のタッチセンサ（５０ａ、５０ｂ）と、
前記タッチセンサによる検出に応じて前記操作者によってタッチされているか否かを判定するタッチ判定手段（１３０）と、
周囲の明るさを検出する光センサ（４０）と、
前記光センサによる検出に応じて前記周囲の明るさが閾値以下であるか否かを判定する光判定手段（１１０）と、
前記光判定手段によって前記周囲の明るさが閾値以下であると判定され、かつ前記タッチ判定手段によって前記操作者によってタッチされていないと判定されたとき、前記表示を消すように前記表示部を制御するタッチ制御手段（１８０）と、
通話が開始されたか否かを判定する開始判定手段（１４２、１５０）と、
前記判定手段によって前記通話が開始されたと判定されたとき、表示を消すように前記表示部を制御する通話制御手段（１７０、１８０）と、
を備えたことを特徴とする携帯電話。
【発明の詳細な説明】
【０００１】
【発明の属する技術分野】
本発明は、携帯電話に関する。
【０００２】
【従来の技術】
従来、携帯電話としては、通話の開始から終了に亘り、液晶パネルによって「通話時間」の表示を行うものがある。
【０００３】
【発明が解決しようとする課題】
ところで、発明者は、携帯電話における通話中の液晶パネルによる表示に着目し、通話中の消費電力の低減につき検討した。
【０００４】
発明者による検討によれば、液晶パネルによる「通話時間」の表示は、操作者によって通話終了時に視認されることはあっても、通話の終始に亘り、視認されることはなく、通話の終始に亘り液晶パネルが表示を行うことは、無駄な電力の消費を招いていることが分かった。
【０００５】
従って、通話の終始に亘り液晶パネルが表示を行うことは、携帯電話に内蔵された電池の稼働可能時間の長期化の妨げになっていっていることが分かった。
【０００６】
そこで、本発明は、上記点に鑑み、通話中における消費電力を低減するようにした携帯電話を提供することをを目的とする。
【０００７】
【課題を解決するための手段】
本発明は、上記目的を達成するために、請求項１に記載の発明では、情報を表示する表示部（３０）と、
操作者によってタッチされていることを検出する為のタッチセンサ（５０ａ、５０ｂ）と、
前記タッチセンサによる検出に応じて前記操作者によってタッチされているか否かを判定するタッチ判定手段（１３０）と、
周囲の明るさを検出する光センサ（４０）と、
前記光センサによる検出に応じて前記周囲の明るさが閾値以下であるか否かを判定する光判定手段（１１０）と、
前記光判定手段によって前記周囲の明るさが閾値以下であると判定され、かつ前記タッチ判定手段によって前記操作者によってタッチされていないと判定されたとき、前記表示を消すように前記表示部を制御するタッチ制御手段（１８０）と、
通話が開始されたか否かを判定する開始判定手段（１４２、１５０）と、
前記判定手段によって前記通話が開始されたと判定されたとき、表示を消すように前記表示部を制御する通話制御手段（１７０、１８０）と、
を備えたことを特徴とする。
【０００８】
以上により、通話制御手段は、通話が開始されたとき、表示を消すように表示部を制御するので、通話中における消費電力を低減することができる。
【００１４】
以上により、携帯電話が、例えば、鞄や着衣のポケット等の内部に配置されて電話として使用していない状態では、表示部による表示を消し得るので、携帯電話の通話中に加えて、待ち受け中の消費電力を低減することができる。
【００１５】
因みに、上記各手段の括弧内の符号は、後述する実施形態に記載の具体的手段との対応関係を示す一例である。
【００１６】
【発明の実施の形態】
以下、本発明を図に示す実施形態について説明する。
【００１７】
図１、図２に本発明の携帯電話の実施形態を示す。図１、図２は携帯電話の斜視図を示す。携帯電話は、図１に示すように、ケース１０、操作部２０、表示部３０、光センサ部４０を備えている。また、携帯電話には、図２に示すように、タッチセンサ部５０ａ、５０ｂが設けられている。
【００１８】
図１に示すように、ケース１０は、直方体ケース本体１１及びフリッパ１２から構成され、フリッパ１２は、ケース本体１１の下部１１ａにおいて回転可能に支持されている。フリッパ１２が開いた状態では、操作部２０が露出し、図２に示すように、フリッパ１２が閉じた状態では、フリッパ１２が操作部２０を覆うようになっている。
【００１９】
操作部２０は、操作キー２０ａ〜２０ｑから構成されており、表示部３０は、カラー液晶パネルであって、ケース本体１１の上側に形成された開口部１１ｂ内に配置されている。光センサ部４０は、ケース本体１１の右上側に配置され、表示部３０の右上近傍部に位置する。また、図２に示すように、タッチセンサ部５０ａは、ケース本体１１の左側面１１ａに配置され、タッチセンサ部５０ｂは、ケース本体１１の右側面１１ｂに配置されている。
【００２０】
次に、携帯電話の電気回路構成につき図３を参照して説明する。図３は、携帯電話の電気回路構成を示すブロック図を示す。携帯電話は、光センサ部４０、タッチセンサ部５０ａ、５０ｂに加えて、センサ検出回路５１、表示照明部６０、操作照明部６１、輝度調整部６２、無線部７０、音声回路７１、レシーバー７２、マイク７３、サウンダ７４、送受信アンテナ７５、電池８０、電源回路８１、残量検出回路８２、及び制御部９０を有している。光センサ部４０は、携帯電話が配置された周囲の光を検出して検出信号をセンサ検出回路５１に出力する。
【００２１】
タッチセンサ部５０ａ、５０ｂは、操作者による携帯電話へのタッチを検出して検出信号をセンサ検出回路５１出力し、タッチセンサ部５０ａ、５０ｂは、それぞれ、上述の如く、左側面１１ａ、右側面１１ｂに配置されている。これにより、タッチセンサ部５０ａ、５０ｂは、携帯電話が操作者の手に取られている（握られている）ことを検出することができる。
【００２２】
センサ検出回路５１は、光センサ部４０から出力された検出信号を線形増幅し増幅信号を制御部９０に出力するとともに、タッチセンサ部５０ａ、５０ｂの双方から出力された検出信号を線形増幅し増幅信号を制御部９０に出力する。
【００２３】
表示照明部（発光ダイオード）６０は、輝度調整部６２により駆動されされて、表示部３０の照明を行い、操作照明部（発光ダイオード）６１は、輝度調整部６２により駆動されて、操作部２０の照明を行う。輝度調整部６２は、制御部９０により制御されて、表示照明部６０及び操作照明部６１を駆動する。
【００２４】
無線部７０は、制御部９０により制御されて、送受信アンテナ７５を通して電波を媒体として基地局に対して送受信する。音声回路７１は、無線部７０から制御部９０を通して出力された受信信号をレシーバー７２に出力するとともに、マイク７３から出力された音声信号を送信信号として制御部９０を通して無線部７０に出力する。
【００２５】
レシーバー７２は、音声回路７１から出力された受信信号を音声に変換して出力し、マイク７３は、操作者から発せられた音声を音声信号に変換して音声回路７１に出力する。サウンダ７４は、制御部９０により制御されて、基地局から送受信アンテナ７５を通して無線部７０を経て受けた着信信号に基づいて「着信時の呼び出し」を出力する。
【００２６】
電池８０は、二次電池であって、電源回路８１に電力を供給し、電源回路８１は、各回路５１〜９０に電力を供給する。残量検出回路８２は、電池の残容量を検出し検出信号を制御部９０に出力する。制御部９０は、マイクロコンピュータ等から構成されて、発着信時、待ち受け時、電池の残容量等の表示処理、照明処理、通話処理をする。なお、表示処理及び照明処理は、待ち受け処理、通話処理等を行うメインルーチンに対して設定時間ごとの割り込み処理によって実行される。
【００２７】
以下、制御回路９０による処理につき図４〜図６を参照して説明する。図４、図５は、制御回路９０による表示処理、照明処理を示すフローチャート、図６（ａ）〜（ｃ）は、表示部３０の表示である。制御回路９０は、図４、図５に示すフローチャートに従って処理を行う。なお、図４中の２点鎖線内は、待ち受け遷移状態を示す。
【００２８】
先ず、図６（ａ）に示す「待ち受け中」の表示を表示部３０にさせ（ステップ１００）、光センサ部４０から出力された検出信号のレベルが閾値より大きいか否かを判定する（ステップ１１０）。
【００２９】
これにより、携帯電話の周囲の明るさを検出して、携帯電話が操作者の鞄内や着衣のポケット内等の暗所に配置されているか否かを判定することができる（図７参照）。
【００３０】
次に、ステップ１１０で、光センサ部４０から出力された検出信号のレベルが閾値以上のとき、携帯電話が照明光や太陽光を受ける状態にあるとして、「待ち受け状態」の表示を表示部３０によってさせるとともに、輝度調整回路６２を制御して表示照明部６１によって表示部３０を照明させる（ステップ１２０）。
【００３１】
次に、タッチセンサ部５０ａ、５０ｂの双方がタッチされたか否かを判定するとともに、操作部２０のうちいずれかのキーが押されたか否かを判定し（ステップ１３０）、タッチセンサ部５０ａ、５０ｂの双方が操作者によりタッチされたとき、及び操作部２０のうちいずれかのキーが押されたときのうち少なくとも一方のとき、ステップ１４０に進む。
【００３２】
なお、タッチセンサ部５０ａ、５０ｂの双方が操作者によりタッチされていなく、かつ操作部２０のうちいずれかのキーが押されていないとき、ステップ１２０に進む。
【００３３】
次に、ステップ１４０で、基地局からの着信信号が受信されたか否かを判定し、着信信号が受信されたとき、ステップ１５０に進んで、回線接続されたか否かを判定する（ステップ１５０）。ここで、セントキー（送着キー）２０ｄが押されたか否かを判定することになる。これにより、基地局から着信信号を受信した場合において、通話が開始されたか否かの判定をすることができる。
【００３４】
次に、ステップ１５０で、回線接続されたとき、ステップ１６０に進んで、表示部３０によって図６（ｂ）に示す「通話中」の表示をにさせ（ステップ１６０）、回線接続されてから一定期間ｔ１経過したか否かを判定する（ステップ１７０）。
【００３５】
次に、ステップ１７０で、回線接続されてから一定期間ｔ１経過したとき、表示部３０の表示を消す（表示部３０への給電を停止させる）とともに、輝度調整回路６２を制御して表示照明部６１による表示部３０への照明を停止させる（ステップ１８０）。
【００３６】
これにより、回線接続されてから一定期間ｔ１だけ、表示部３０によって「通話中」の表示をさせて、一定期間ｔ１以後、表示部３０の表示を消すことができる。ここで、一定期間ｔ１としては、操作者が表示部３０による「通話中」の表示を確認後、携帯電話のレシーバ７２を耳に当てる迄の時間が採用されている。
【００３７】
次に、操作者による操作に応じて終話になったか否か（回線が遮断されたか否か）を判定する（ステップ１９０）。ここで、セントキー（送着キー）２０ｄが押されたか否かを判定することになる。そして、操作者による操作に応じて終話になったとき、表示部３０によって図６（ｃ）に示す「通話料金」及び「通話時間」を表示させる（ステップ２００）。
【００３８】
次に、操作者による操作に応じて終話になったときから一定期間ｔ２経過したか否かを判定し（ステップ２１０）、終話になったときから一定期間ｔ２経過したとき、ステップ１００の処理をする。
【００３９】
次に、ステップ１４０で、基地局からの着信信号が受信されていないとき、ステップ１４１に進んで、操作者によって発信操作が行われたか否かを判定する。これにより、操作者による電話番が入力され、その後、セントキー（送着キー）２０ｄが押されたか否かを判定することになる。すなわち、操作者によって発信操作が行われた場合において、通話が開始されたか否かを判定し得る。
【００４０】
次に、ステップ１４１で、操作者によって発信操作が行われたとき、回線が接続されたか否かを判定する。すなわち、送受信の為の使用チャンネルを示す信号が受信されたか否かを判定することになる。ここで、回線が接続されたとき、ステップ１６０に進む。
【００４１】
次に、ステップ１９０で、操作者による操作に応じて終話にならなかったとき、通話の相手の操作に応じて終話になった否かを判定する（ステップ１９１）。すなわち、通話の相手の操作によって終話になった（回線が遮断された）ことを示す遮断信号を基地局から受信したか否かを判定することになる。そして、通話の相手の操作に応じて終話になったとき、ステップ２００に進む。
【００４２】
次に、ステップ１１０で、光センサ部４０から出力された検出信号のレベルが閾値以下のとき、携帯電話が暗所に配置されているとして、ステップ１３０に進んで、タッチセンサ部５０ａ、５０ｂの双方が操作者によりタッチされていなく、かつ操作部２０のうちいずれかのキーが押されていないとき、ステップ１４０に進む。
【００４３】
なお、タッチセンサ部５０ａ、５０ｂの双方が操作者によりタッチされたとき、及び操作部２０のうちいずれかのキーが押されたときのうち少なくとも一方のとき、ステップ１２０に進む。
【００４４】
次に、ステップ１４０で、基地局からの着信信号が受信されたか否かを判定し、着信信号が受信されていないとき、ステップ１８０に進んで、表示部３０によって表示を消す（表示部３０への給電を停止する）とともに、輝度調整回路６２を制御して表示照明部６１による表示部３０への照明を停止させる。その後、ステップ１００に進む。
【００４５】
次に、ステップ１４０で、基地局からの着信信号が受信されたか否かを判定し、着信信号が受信されているとき、ステップ１２０、ステップ１３０、ステップ１５０のステップ１３０の処理をして、その後、ステップ１６０に進む。
【００４６】
以上により、通話が開始されてから（回線が接続されてから）一定期間ｔ１後（図８参照）、表示部３０による表示を消すとともに、表示照明部（照明部）６０による照明を停止するようにしたので、通話中における消費電力を低減することができる。
【００４７】
また、通話が開始されてから一定期間ｔ１の間において、表示部３０によって通話が開始されたこと（回線接続）を示す「通話中」の表示を行うようにしたので、通話の開始を容易に確認することができる。
【００４８】
ここで、一定期間ｔ１としては、操作者が表示部３０による「通話中」の表示を視認後、携帯電話のレシーバ７２を耳に当てる迄の時間が採用されているので、表示部３０及び表示照明部６０による消費電力の低減を十分に確保できる。
【００４９】
また、携帯電話が、例えば、鞄や着衣のポケット等の内部に配置されて電話として使用していない状態では、表示部３０による表示を消すとともに、表示照明部６０による照明を停止することができるので（図８参照）、携帯電話の通話中に加えて、待ち受け中の消費電力を低減することができる。
【００５０】
また、操作部２０へのキー操作されたとき、及び携帯電話を手に取ったときの少なくとも一方のとき、すなわち、携帯電話の使用状態では、周囲が明るいとき表示照明部６０の照明を停止しているので（図８参照）、携帯電話の操作時においても、消費電力を低減することができる。
【００５１】
なお、上記実施形態では、通話が開始されてから（回線が接続されてから）一定期間ｔ１後、表示部３０による表示と表示照明部６０による照明とを停止する例につき説明したが、これに限らず、通話が開始された直後、表示部３０による表示を消すとともに、表示照明部６０による照明を停止するようにしてもよい。
【００５２】
また、上記実施形態では、タッチセンサ５０ａ、５０ｂの双方が操作者によってタッチされたとき、操作者が携帯電話を手に取っていると判定した例につき説明したが、これに限らず、タッチセンサ５０ａ、５０ｂの一方が操作者によってタッチされたとき、操作者が携帯電話を手に取っていると判定してもよい。
【００５３】
なお、本発明の実施にあたり、表示部３０としては、ＥＬ等の自発光型の表示部を採用するようにして、表示照明部６０を廃止するようにしてもよい。
【図面の簡単な説明】
【図１】本発明の実施形態の携帯電話を示す斜視図である。
【図２】上記携帯電話のタッチセンサ部を示す斜視図である。
【図３】上記携帯電話の電気回路構成を示すブロック図である。
【図４】図３に示す制御回路の作動の一部を示すフローチャートである。
【図５】上記制御回路の作動の残りを示すフローチャートである。
【図６】（ａ）〜（ｃ）は、表示部の表示を示す図である。
【図７】上記携帯電話の作動を説明する為の図である。
【図８】図３に示す表示部及び表示停止部の作動を説明する為の図表である。
【符号の説明】
３０…表示部、４０…光センサ部、５０ａ、５０ｂ…タッチセンサ、
６０…表示停止部、８０…電池、９０…制御部。
【図１】
0004140146.tif 000002
【図２】
0004140146.tif 000003
【図３】
0004140146.tif 000004
【図４】
0004140146.tif 000005
【図５】
0004140146.tif 000006
【図６】
0004140146.tif 000007
【図７】
0004140146.tif 000008
【図８】
0004140146.tif 000009